(57)【要約】      （修正有）【課題】公共の場所にも設置しやすく、衛生的な、トイレの蓋に貼り付けて使用するトイレ用ラッピングシートを提供する。【解決手段】ラッピングシート１は、トイレの便器の蓋の形状に沿って切り取られるとともに、模様、色彩又はそれらの組み合わせによって装飾された蓋装飾部１１と、蓋装飾部の裏面に貼り付けられた剥離紙１２と、を備える。蓋装飾部は、ドライヤーで加熱されると、蓋の曲面形状に馴染むように変形可能となっている。【選択図】図２
0003221570.tif 000002
【実用新案登録請求の範囲】
【請求項１】
トイレの便器の蓋の形状に沿って切り取られるとともに、模様、色彩又はそれらの組み合わせによって装飾された蓋装飾部と、
前記蓋装飾部の裏面に貼り付けられた剥離紙と、を備える、トイレ用ラッピングシート。
【請求項２】
前記蓋装飾部は、ドライヤーで加熱されると、前記蓋の曲面形状に馴染むように変形可能となっている、請求項１に記載されたトイレ用ラッピングシート。
【請求項３】
前記蓋装飾部は、剥がされた後に再度貼り付けることができるようにされている、請求項１又は請求項２に記載されたトイレ用ラッピングシート。
【請求項４】
前記トイレの便器本体の形状に沿って切り取られるとともに、模様、色彩又はそれらの組み合わせによって装飾された本体装飾部をさらに備える、請求項１乃至請求項３のいずれか一項に記載されたトイレ用ラッピングシート。
【請求項５】
前記トイレのタンクの形状に沿って切り取られるとともに、模様、色彩又はそれらの組み合わせによって装飾されたタンク装飾部をさらに備える、請求項１乃至請求項４のいずれか一項に記載されたトイレ用ラッピングシート。
【考案の詳細な説明】
【技術分野】
【０００１】
本考案は、トイレの蓋に貼り付けて使用するトイレ用ラッピングシートに関するものである。
【背景技術】
【０００２】
一般に、トイレに配置される便器は、白色を中心とする地味な色合いであることが多い。一方で、近年では、多様な色彩や模様を付した便座カバー等によってトイレを装飾することも多くなっている。
【０００３】
トイレを装飾する場合、従来は、例えば特許文献１に開示されているように、蓋に布製の装飾用カバーを取り付けることが多い。
【先行技術文献】
【特許文献】
【０００４】
【特許文献１】特開２０００−３３３８７９号公報
【考案の概要】
【考案が解決しようとする課題】
【０００５】
しかしながら、特許文献１を含む従来の布製の装飾用カバーでは、店舗等を含む公共の場所には設置しにくいうえ、不衛生となるおそれがあった。
【０００６】
そこで、本考案は、公共の場所にも設置しやすく、かつ、衛生的なトイレ用ラッピングシートを提供することを目的としている。
【課題を解決するための手段】
【０００７】
前記目的を達成するために、本考案のトイレ用ラッピングシートは、トイレの便器の蓋の形状に沿って切り取られるとともに、模様、色彩又はそれらの組み合わせによって装飾された蓋装飾部と、前記蓋装飾部の裏面に貼り付けられた剥離紙と、を備えている。
【０００８】
また、前記蓋装飾部は、ドライヤーで加熱されると、前記蓋の曲面形状に馴染むように変形可能となっていることが好ましい。
【０００９】
さらに、前記蓋装飾部は、剥がされた後に再度貼り付けることができるようにされていることが好ましい。
【００１０】
また、前記トイレの便器本体の形状に沿って切り取られるとともに、模様、色彩又はそれらの組み合わせによって装飾された本体装飾部をさらに備えることもできる。
【００１１】
また、前記トイレのタンクの形状に沿って切り取られるとともに、模様、色彩又はそれらの組み合わせによって装飾されたタンク装飾部をさらに備えることもできる。
【考案の効果】
【００１２】
このように、本考案のトイレ用ラッピングシートは、トイレの便器の蓋の形状に沿って切り取られるとともに、模様、色彩又はそれらの組み合わせによって装飾された蓋装飾部と、蓋装飾部の裏面に貼り付けられた剥離紙と、を備えている。このような構成であるから、公共の場所にも設置しやすく、かつ、衛生的なトイレ用ラッピングシートとなる。加えて、剥離紙を剥がして蓋の表面に貼り付ける単純な作業であるため、素人でも店舗や一般家庭等でも容易に貼り付けることができる。
【００１３】
また、蓋装飾部は、ドライヤーで加熱されると、蓋の曲面形状に馴染むように変形可能となっていることで、蓋との一体感を形成し、いっそう装飾性の優れたトイレ用ラッピングシートとなる。
【００１４】
さらに、蓋装飾部は、剥がされた後に再度貼り付けることができるようにされていることで、作業に不慣れな者が貼り付けても、容易に美しく貼り付けることができる。
【００１５】
また、トイレの便器本体の形状に沿って切り取られるとともに、模様、色彩又はそれらの組み合わせによって装飾された本体装飾部をさらに備えることで、便器全体を装飾することでより統一感のある装飾となる。
【００１６】
また、トイレのタンクの形状に沿って切り取られるとともに、模様、色彩又はそれらの組み合わせによって装飾されたタンク装飾部をさらに備えることで、トイレ全体を装飾することでいっそう統一感のある装飾となる。
【図面の簡単な説明】
【００１７】
【図１】トイレ用ラッピングシートが貼り付けられた蓋を備える便器である。
【図２】トイレ用ラッピングシートの正面図である。
【図３】作業手順の説明図である。
【図４】作業手順の説明図である。
【図５】作業手順の説明図である。
【考案を実施するための形態】
【００１８】
以下、本考案の実施の形態について図面を参照して説明する。
【実施例】
【００１９】
（構成）
まず、図１を用いて本考案のトイレ用ラッピングシート１を備えるトイレ９の全体構成を説明する。トイレ９は、主に、便を受容する開口部を有する便器本体９０と、開口部を塞ぐ蓋９１と、から構成されている。
【００２０】
そして、本実施例のトイレ９の蓋９１には、この蓋９１の形状に沿って切り取られるトイレ用ラッピングシート１が貼り付けられている。トイレ用ラッピングシート１は、その片面が、模様、色彩又はそれらの組み合わせによって装飾される蓋装飾部１１を有している。
【００２１】
さらに、図２に示すように、販売される際には、トイレ用ラッピングシート１の蓋装飾部１１には、その裏面に剥離紙１２が貼り付けられている。すなわち、トイレ用ラッピングシート１は、市場流通時には、蓋装飾部１１と、剥離紙１２と、を備えている。
【００２２】
上述したように、蓋装飾部１１には、その片面（表面）に、模様、色彩又はそれらの組み合わせ（以下、模様等と称する）が付されている。この模様等としては、例えば、単色のもの、単色ではあるがメタリック系のもの、幾何学模様を付したもの、絵柄や図柄を付したもの、これらに加えて文字を付したもの、等がある。
【００２３】
さらに、この蓋装飾部１１は、ドライヤーで加熱されると、蓋９１の曲面形状に馴染むように変形可能となっている。すなわち、蓋装飾部１１は、熱可塑性の樹脂フィルムから構成されており、加熱すると軟化して蓋９１の側面や表面の曲面形状に沿うように変形することができる。また、蓋装飾部１１は、剥がされた後に再度貼り付けることができるようにされている。
【００２４】
この他、図示しないが、トイレ９の便器本体９０の形状に沿って切り取られるとともに、模様、色彩又はそれらの組み合わせによって装飾された本体装飾部（２０）をさらに備えることができる。この場合、便器本体９０は大きく湾曲しているため、加熱して本体装飾部（２０）を曲げながら貼り付けることが好ましい。
【００２５】
同様に、図示しないが、トイレ９のタンク（不図示）の形状に沿って切り取られるとともに、模様、色彩又はそれらの組み合わせによって装飾されたタンク装飾部（３０）をさらに備えることができる。この場合、タンクは大きく湾曲しているため、加熱して本体装飾部（２０）を曲げながら貼り付けることが好ましい。
【００２６】
（作用）
次に、本実施例のトイレ用ラッピングシート１の作用について説明する。
【００２７】
手軽に装飾トイレを楽しむことを目的に開発されたトイレ用ラッピングシート１の最大の特徴は、作業に不慣れな一般の人でも簡単に貼ることができる。具体的に言うと、１枚の蓋９１にトイレ用ラッピングシート１を貼るためにかかる時間は１０分程度である。慣れてくれば、約１分で貼ることも可能である。
【００２８】
また、普段目にすることの少ない装飾トイレのインパクトは抜群であり、個人ではＳＮＳの話題として、企業では新商品広告やイベントの告知用にオリジナルのシートを作成することもできる。
【００２９】
（特徴）
（１）３Ｄ曲面への追従性能
国内外の数あるメーカーの中から厳選したシートは適度な粘着力と３Ｄ曲面への追従性能を発揮する。シート端部の曲面部の仕上がりを見れば、丸みを帯びた端部にも密着していることがわかる。
（２）気泡ができても安心
気泡ができても独自のエアー抜き機能により空気をスムーズに排出できる。万が一空気が抜けない場合も、剥がしてやり直すことが可能である。
（３）貼ってはがしてまた貼れる
きれいに剥がしてまた貼ることができる。シワになっても慌てずに伸ばしてドライヤーで温めれば形状記憶機能で元の形に戻る。
（４）ラミネート加工で安心
表面にはラミネート加工をほどこしているため、表面のキズや色あせなどにとても強くできている。爪で軽く引っ掻く程度ではキズはつかない。
【００３０】
（施工手順）
次に、図３〜図５を用いて、本実施例のトイレ用ラッピングシート１の施工手順について説明する。
【００３１】
はじめに、ステップ０１〜０６の手順について、図３（ａ）〜（ｆ）を用いて説明する。
（ステップ０１）貼る前にパーツクリーナー等で油分・埃を除去します（図３（ａ））。
（ステップ０２）貼る位置を確認して剥離紙の上半分を剥がします（図３（ｂ））。
（ステップ０３）上部の凹みに合わせてシートを置き圧着固定します（図３（ｃ））。
（ステップ０４）下半分の残り剥離紙を剥がします（図３（ｄ））。
（ステップ０５）中心を圧着して位置を決めます（図３（ｅ））。
（ステップ０６）中心から放射線状に圧着していきます（図３（ｆ）。）
【００３２】
次に、ステップ０７〜１２の手順について、図３（ｇ）〜（ｌ）を用いて説明する。
（ステップ０７）スキージーで空気を抜きながら貼っていきます（図３（ｇ））。
（ステップ０８）スキージーがない場合は定規に布を当てて代用します（図３（ｈ））。
（ステップ０９）角がシワになった場合でも問題ありません（図３（ｉ））。
（ステップ１０）シワの端を一旦剥がしてやり直します。再剥離可能です（図３（ｊ））。
（ステップ１１）フィルムに力を入れず上からゆっくり圧着します（図３（ｋ））。
（ステップ１２）フィルムをドライヤーで温めます（図３（ｌ））。
【００３３】
次に、ステップ１３〜１８の手順について、図３（ｍ）〜（ｒ）を用いて説明する。
（ステップ１３）フィルムが馴染みきれいに仕上がります（図３（ｍ））。
（ステップ１４）温めると気泡が新たに出来ることがありますが、問題ありません（図３（ｎ））。
（ステップ１５）指の腹で空気を逃します（図３（ｏ））。
（ステップ１６）もし空気が抜けない時は再剥離可能なため、また剥がしてやり直す事が可能です（図３（ｐ））。
（ステップ１７）仕上げにドライヤーで温め圧着します（図３（ｑ））。
（ステップ１８）完成です（図３（ｒ））。
【００３４】
（作用・効果）
次に、実施例のトイレ用ラッピングシート１の奏する効果を列挙して説明する。
【００３５】
（１）このように、本考案のトイレ用ラッピングシート１は、トイレ９の便器の蓋９１の形状に沿って切り取られるとともに、模様、色彩又はそれらの組み合わせによって装飾された蓋装飾部１１と、蓋装飾部１１の裏面に貼り付けられた剥離紙１２と、を備えている。このような構成であるから、公共の場所にも設置しやすく、かつ、衛生的なトイレ用ラッピングシート１となる。加えて、剥離紙１２を剥がして蓋９１の表面に貼り付ける単純な作業であるため、素人でも店舗や一般家庭等でも容易に貼り付けることができる。
【００３６】
（２）また、蓋装飾部１１は、ドライヤーで加熱されると、蓋９１の曲面形状に馴染むように変形可能となっていることで、蓋との一体感を形成し、いっそう装飾性の優れたトイレ用ラッピングシート１となる。さらに、家庭用のドライヤーを使用しても変形するため、いっそう貼り付け作業が容易となる。
【００３７】
（３）さらに、蓋装飾部１１は、剥がされた後に再度貼り付けることができるようにされていることで、作業に不慣れな者が貼り付けても、容易に美しく貼り付けることができる。
【００３８】
（４）また、トイレ９の便器本体９０の形状に沿って切り取られるとともに、模様、色彩又はそれらの組み合わせによって装飾された本体装飾部（２０）をさらに備えることで、便器全体を装飾することでより統一感のある装飾となる。
【００３９】
（５）また、トイレのタンク（付図示）の形状に沿って切り取られるとともに、模様、色彩又はそれらの組み合わせによって装飾されたタンク装飾部（３０）をさらに備えることで、トイレ全体を装飾することでいっそう統一感のある装飾となる。
【００４０】
以上、図面を参照して、本考案の実施例を詳述してきたが、具体的な構成は、この実施例に限らず、本考案の要旨を逸脱しない程度の設計的変更は、本考案に含まれる。
【符号の説明】
【００４１】
１          トイレ用ラッピングシート
１１        蓋装飾部
１２        剥離紙
９          トイレ
９０        便器本体
９１        蓋
【図１】
0003221570.tif 000003
【図２】
0003221570.tif 000004
【図３】
0003221570.tif 000005
【図４】
0003221570.tif 000006
【図５】
0003221570.tif 000007